(57)【要約】【課題】精密な位置合わせを要することなく輝度ムラを抑制する。【解決手段】バックライト装置（照明装置）１２は、ＬＥＤ（光源）１３と、ＬＥＤ１３に対して出光経路の出口側に配される光制御シート（光制御部材）１７であって、光を透過する透光層１８と、透光層１８に対してＬＥＤ１３側に配される第１遮光部１９と、透光層１８に対して第１遮光部１９側とは反対側に配される第２遮光部２０と、を有する光制御シート１７と、を備えるものであって、第１遮光部１９及び第２遮光部２０は、交互に繰り返し並ぶよう配されている【選択図】図１
2020087541.tif 000002
【特許請求の範囲】
【請求項１】
光源と、
前記光源に対して出光経路の出口側に配される光制御部材であって、光を透過する透光層と、前記透光層に対して前記光源側に配される第１遮光部と、前記透光層に対して前記第１遮光部側とは反対側に配される第２遮光部と、を有する光制御部材と、を備える照明装置であって、
前記第１遮光部及び前記第２遮光部は、交互に繰り返し並ぶよう配されている照明装置。
【請求項２】
前記透光層は、光を透過する透光性材料からなる請求項１記載の照明装置。
【請求項３】
前記透光層の板厚をｄとし、前記透光層における前記透光性材料に係る屈折率に基づく臨界角をθｃとし、前記第１遮光部の長さをｐとしたとき、
前記光制御部材は、次の式（１）を満たすよう構成される請求項２記載の照明装置。
［数１］
ｐ＝ｄ・ｔａｎθｃ          （１）
【請求項４】
前記透光層における一対の板面のうち、前記光源側の板面に前記第１遮光部が、前記光源側とは反対側の板面に前記第２遮光部が、それぞれ設けられている請求項２または請求項３記載の照明装置。
【請求項５】
前記第１遮光部及び前記第２遮光部のうちの一方は、前記透光層に設けられており、
前記第１遮光部及び前記第２遮光部のうちの他方が設けられていて前記透光層に対して重なるよう配されていて透光性材料からなる第２の透光層を備える請求項２または請求項３記載の照明装置。
【請求項６】
前記透光層は、前記光源側とは反対側の板面に前記第２遮光部が設けられているのに対し、前記第２の透光層は、前記透光層に対して前記光源側に重なるよう配されていて前記光源側とは反対側の板面に前記第１遮光部が設けられている請求項５記載の照明装置。
【請求項７】
前記第２の透光層は、前記光源から発せられた一次光を波長変換して二次光を発する蛍光体を含む請求項６記載の照明装置。
【請求項８】
前記透光層は、前記光源側の板面に前記第１遮光部が設けられているのに対し、前記第２の透光層は、前記透光層に対して前記光源側とは反対側に重なるよう配されていて前記光源側の板面に前記第２遮光部が設けられている請求項５記載の照明装置。
【請求項９】
前記第２の透光層は、光を拡散させる光拡散機能を有する請求項８記載の照明装置。
【請求項１０】
前記第１遮光部は、前記透光層における前記光源側の板面に設けられており、
前記透光層に対して前記第１遮光部を介して前記光源側に重なるよう積層形成される保護層と、
前記光制御部材に対して前記光源側に配されていて前記保護層に当接して前記光制御部材を支持する支持部材と、を備える請求項２から請求項９のいずれか１項に記載の照明装置。
【請求項１１】
前記第１遮光部及び前記第２遮光部は、境界部分同士が重なり合うよう配されている請求項１から請求項１０のいずれか１項に記載の照明装置。
【請求項１２】
前記第１遮光部及び前記第２遮光部は、光の吸収率よりも光の反射率が高い請求項１から請求項１１のいずれか１項に記載の照明装置。
【請求項１３】
前記第２遮光部は、前記第１遮光部よりも占有面積が大きい請求項１２記載の照明装置。
【請求項１４】
前記光制御部材は、平面に視て前記光源が配置される光源配置領域と、前記光源が非配置とされる光源非配置領域と、に区分されており、
前記第１遮光部及び前記第２遮光部は、前記光源配置領域と前記光源非配置領域とで配列間隔が等しくなるよう配されている請求項１から請求項１３のいずれか１項に記載の照明装置。
【請求項１５】
請求項１から請求項１４のいずれか１項に記載の照明装置と、
前記照明装置から照射される光を利用して画像を表示する表示パネルと、を備える表示装置。
【発明の詳細な説明】
【技術分野】
【０００１】
本発明は、照明装置及び表示装置に関する。
【背景技術】
【０００２】
従来、液晶表示装置などに用いられる照明装置の一例として下記特許文献１，２に記載されたものが知られている。特許文献１に記載された照明装置である面照明光源装置は、指向性の強い発光源と、該発光源の放射方向に放射面を有する導光体と、前記発光源に囲設されると共に前記導光体の放射面以外の面を閉鎖するケーシングとによって構成されていて、前記ケーシングと前記導光体の間の全体に設けられた内側反射手段と、前記放射面に設けられ、前記発光源からの光を所定の割合で反射させる放射側反射手段とを具備する。また、特許文献２に記載された照明装置である面光源装置は、複数の発光素子が配列された素子配列面を有する発光部と、両表面が平坦であり、前記素子配列面に積層され、前記発光素子が入射側表面へ照射した光を内部にて伝搬して前記入射側表面とは反対側の出射側表面から取り出す導光板と、を有し、前記発光部の前記素子配列面は、前記発光素子を収納する複数の凹部を形成され、前記導光板の前記出射側表面は、前記発光素子に対向して位置し当該発光素子から前記出射側表面への光の入射角が臨界角未満となる非全反射領域に、当該光の少なくとも一部を反射する加工を施され、前記導光板の前記入射側表面は、光を拡散反射する加工を施されている。
【先行技術文献】
【特許文献】
【０００３】
【特許文献１】特許第４２８０２８３号公報
【０００４】
【特許文献２】特開２０１２−１８２０２３号公報
【発明の概要】
【発明が解決しようとする課題】
【０００５】
上記した特許文献１に記載された面照明光源装置は、発光源からの光を所定の割合で反射させる放射側反射手段は、発光源からの距離に応じて分布に疎密を有する反射ドットからなる。このため、反射ドットが放射面に形成された導光体が、発光源に対して精密に位置合わせされていないと、反射ドットの光学機能が適切に発揮されず、導光体の出射光に輝度ムラが生じるおそれがあった。また、上記した特許文献２に記載された面光源装置は、導光板における出射側表面及び入射側表面の加工として、表面に白色反射膜が形成されており、出射側表面の白色反射膜が非全反射領域に形成されるのに対し、入射側表面の白色反射膜が発光素子からの距離に応じて分布に疎密を有している。このため、出射側表面及び入射側表面に各白色反射膜が形成された導光板が発光素子に対して精密に位置合わせされていないと、各白色反射膜の光学機能が適切に発揮されず、導光板の出射光に輝度ムラが生じるおそれがあった。
【０００６】
本発明は上記のような事情に基づいて完成されたものであって、精密な位置合わせを要することなく輝度ムラを抑制することを目的とする。
【課題を解決するための手段】
【０００７】
（１）本発明の一実施形態は、光源と、前記光源に対して出光経路の出口側に配される光制御部材であって、光を透過する透光層と、前記透光層に対して前記光源側に配される第１遮光部と、前記透光層に対して前記第１遮光部側とは反対側に配される第２遮光部と、を有する光制御部材と、を備える照明装置であって、前記第１遮光部及び前記第２遮光部は、交互に繰り返し並ぶよう配されている照明装置である。
【０００８】
このようにすれば、光源から発せられた光は、光源に対して出光経路の出口側に配される光制御部材によって外部への出射が制御される。光制御部材に照射される光のうち、第１遮光部や第２遮光部に当たる光は、第１遮光部や第２遮光部によって遮られることで外部に出射し難いものの、第１遮光部や第２遮光部に当たらない光は、透光層を透過して外部に出射し易くなっている。光制御部材において第１遮光部及び第２遮光部は、交互に繰り返し並ぶよう配されているから、透光層のうちの第１遮光部が非配置とされる部分には第２遮光部が配置されるのに対し、透光層のうちの第２遮光部が非配置とされる部分には第１遮光部が配置されることになる。ここで、第１遮光部及び第２遮光部は、光制御部材において透光層の厚み分の間隔を空けて光源側とその反対側とにそれぞれ配されているから、光源から発せられて透光層のうちの第１遮光部が非配置とされる部分に照射された光は、入射角が小さければ透光層を透過したところで第２遮光部によって遮られる可能性が高いものの、入射角が大きければ透光層を斜めに進行しつつ透過して第２遮光部が非配置とされる部分から出射する可能性が高くなる。なお、光源から発せられて透光層のうちの第２遮光部が非配置とされる部分に照射された光は、第１遮光部によって遮られる。そして、光源付近では、光制御部材に対して小さい入射角でもって入射する光が多く存在することから、多くの光が第１遮光部や第２遮光部によって遮られるのに対し、光源の周囲では、光源から離れるほど光制御部材に対して入射する光の入射角が大きくなるとともに、第１遮光部や第２遮光部によって遮られずに光制御部材を出射する光量が多くなる傾向にある。従って、透光層のうち、第１遮光部が配置される部分と、第２遮光部が配置される部分と、が光源に対してどのような位置関係であっても、光量が多い光源近傍では光の出射が抑制されるとともに、光量が少ない光源の周囲では光の出射が促進されて出射光量の均一化が図られる。つまり、光源と光制御部材とを精密に位置合わせせずとも輝度ムラを好適に抑制することができる。
【発明の効果】
【０００９】
本発明によれば、精密な位置合わせを要することなく輝度ムラを抑制することができる。
【図面の簡単な説明】
【００１０】
【図１】本発明の実施形態１に係る液晶表示装置の断面図
【図２Ａ】光制御シートの底面図
【図２Ｂ】光制御シートの平面図
【図３】光制御シートの拡大断面図
【図４】本発明の実施形態２に係る光制御シートの拡大断面図
【図５】本発明の実施形態３に係る液晶表示装置の断面図
【図６】本発明の実施形態４に係る液晶表示装置の断面図
【図７】本発明の実施形態５に係る液晶表示装置の断面図
【図８】本発明の実施形態６に係る液晶表示装置の断面図
【図９】本発明の実施形態７に係る液晶表示装置の断面図
【図１０】本発明の実施形態８に係る光制御シートの拡大断面図
【図１１】本発明の実施形態９に係る液晶表示装置の断面図
【図１２Ａ】本発明の他の実施形態（１）に係る光制御シートの底面図
【図１２Ｂ】光制御シートの平面図
【図１３Ａ】本発明の他の実施形態（２）に係る光制御シートの底面図
【図１３Ｂ】光制御シートの平面図
【図１４Ａ】本発明の他の実施形態（３）に係る光制御シートの底面図
【図１４Ｂ】光制御シートの平面図
【図１５Ａ】本発明の他の実施形態（４）に係る光制御シートの底面図
【図１５Ｂ】光制御シートの平面図
【図１６Ａ】本発明の他の実施形態（５）に係る光制御シートの底面図
【図１６Ｂ】光制御シートの平面図
【図１７】本発明の他の実施形態（６）に係る液晶表示装置の断面図
【図１８】本発明の他の実施形態（７）に係る液晶表示装置の断面図
【発明を実施するための形態】
【００１１】
＜実施形態１＞
本発明の実施形態１を図１から図３によって説明する。本実施形態では、液晶表示装置（表示装置）１０及びそれに備わるバックライト装置（照明装置）１２について例示する。なお、各図面の一部にはＸ軸、Ｙ軸及びＺ軸を示しており、各軸方向が各図面で示した方向となるように描かれている。また、図１及び図３の上側を表側とし、同図下側を裏側とする。
【００１２】
液晶表示装置１０は、図１に示すように、画像を表示可能な液晶パネル（表示パネル）１１と、液晶パネル１１に対して裏側に配されて液晶パネル１１に表示のための光を照射する外部光源であるバックライト装置１２と、を少なくとも備える。このうち、液晶パネル１１は、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタやカラーフィルタ間を仕切るブラックマトリクスの他に配向膜等が設けられている。なお、両ガラス基板の外側にはそれぞれ偏光板が配されている。また、図１では、液晶パネル１１を簡略化して図示している。
【００１３】
続いて、バックライト装置１２について詳しく説明する。バックライト装置１２は、図１に示すように、光源であるＬＥＤ１３と、ＬＥＤ１３が実装されたＬＥＤ基板（光源基板）１４と、ＬＥＤ基板１４の表面を覆うよう配されて光を反射する反射シート１５と、ＬＥＤ１３に対して表側（出光側）に間隔を空けて配される光学シート（光学部材）１６と、ＬＥＤ１３に対して表側に間隔を空けて配されるとともに光学シート１６に対して裏側に重なるよう配される光制御シート（光制御部材）１７と、を備える。このように、本実施形態に係るバックライト装置１２は、液晶パネル１１の直下位置にＬＥＤ１３が配されており、いわゆる直下型とされる。なお、バックライト装置１２は、ＬＥＤ基板１４などを収容するシャーシや光学シート１６及び光制御シート１７の外周端部を保持する枠状のフレーム（シャーシ共々図示せず）などを備える。このフレームは、光の反射性に優れた白色を呈する合成樹脂製（例えばポリカーボネート製）とされるのが好ましい。以下では、バックライト装置１２の各構成部品について詳しく説明する。
【００１４】
ＬＥＤ１３は、図１に示すように、ＬＥＤ基板１４の板面内においてＸ軸方向に沿って列をなすよう複数（本実施形態では３つ）が間隔を空けて並んで配されている。ＬＥＤ１３の配列ピッチは、例えば５ｍｍ以下程度とされる。ＬＥＤ１３は、ＬＥＤ基板１４上に表面実装されるとともにその発光面１３ＡがＬＥＤ基板１４側とは反対側を向いた、いわゆる頂面発光型とされている。ＬＥＤ１３は、発光源であるＬＥＤチップ（ＬＥＤ素子）を、封止材によってケース内に封止した構成とされる。ＬＥＤ１３は、ＬＥＤチップが例えば青色光を単色発光するものとされ、封止材に蛍光体（黄色蛍光体、緑色蛍光体、赤色蛍光体など）が分散配合されることで全体として白色光を発する。このＬＥＤ１３から発せられた光の配光分布は、ＬＥＤ１３における正面方向、つまりＬＥＤ基板１４の板面（発光面１３Ａ）の法線方向（Ｚ軸方向）に沿って進行する光の発光強度が最も高く、同法線方向に対してなす角度が増加するのに伴って曲線的に発光強度が低下する傾向とされる。つまり、ＬＥＤ１３は、ランバーシアン型の配光分布を有する。このＬＥＤ１３の光軸は、発光面１３Ａの中心を通ってＺ軸方向とほぼ平行をなしている。ここで言う「光軸」とは、ＬＥＤ１３における発光光のうち、発光強度が最も高い（ピークとなる）光の進行方向と一致する軸のことである。なお、ＬＥＤ１３から発せられた光は、Ｘ軸方向及びＹ軸方向については光軸周りに略同心円状に広がるようになっている。
【００１５】
ＬＥＤ基板１４は、図１に示すように、表裏一対の板面が、反射シート１５及び光制御シート１７の板面に並行する板状をなしている。ＬＥＤ基板１４は、表側の板面が反射シート１５及び光制御シート１７の板面と対向状をなしており、ここが上記したＬＥＤ１３が表面実装される実装面１４Ａとされる。ＬＥＤ基板１４の実装面１４Ａには、銅箔などの金属膜からなる配線パターン（図示せず）が形成され、その配線パターンによって各ＬＥＤ１３への給電がなされる。また、ＬＥＤ基板１４の実装面１４Ａには、配線パターンを覆う形で白色を呈する光反射膜（図示せず）が形成されるのが好ましく、それにより光の利用効率の向上が図られる。なお、光反射膜に用いる材料としては、例えば太陽インキ製造株式会社製の白色レジスト（製品型番：ＰＳＲ−４０００など）が好ましいが、それ以外にも適宜に変更可能である。
【００１６】
反射シート１５は、図１に示すように、ＬＥＤ基板１４の実装面１４Ａをほぼ全域にわたって表側から覆う形で積層されており、各ＬＥＤ１３と重畳する位置に各ＬＥＤ１３を個別に通すためのＬＥＤ挿通孔１５Ａが開口形成されている。ＬＥＤ挿通孔１５Ａは、ＬＥＤ基板１４における各ＬＥＤ１３と整合するようＸ軸方向に沿って複数が間隔を空けて並んで配されている。反射シート１５は、全体が合成樹脂製で表面が光の反射性に優れた白色を呈するものであってもよいが、ＰＥＴなどの合成樹脂製の基材の表面に銀などの金属を蒸着することで光の反射性に優れた銀色を呈するものであってもよい。
【００１７】
光学シート１６は、図１に示すように、液晶パネル１１やＬＥＤ基板１４などの板面に並行する板面を有するシート状をなしている。光学シート１６は、Ｚ軸方向（光学シート１６などの板面の法線方向）について液晶パネル１１と光制御シート１７との間に介在する配置とされる。つまり、光学シート１６は、バックライト装置１２における出光経路の出口に配されていると言え、それにより、ＬＥＤ１３から発せられて光制御シート１７を透過・出射した光に所定の光学作用を付与しつつ液晶パネル１１に向けて出射させる機能を有する。光学シート１６には、互いに積層される４枚が含まれており、裏側から順に拡散シート、第１プリズムシート、第２プリズムシート、反射型偏光シートとされる。なお、図１では、光学シート１６を簡略化して図示している。拡散シートは、ほぼ透明な合成樹脂製の基材中に光を拡散させるための拡散粒子を多数分散配合した構成とされている。第１プリズムシート及び第２プリズムシートは、ほぼ透明な合成樹脂製の基材における板面にＸ軸方向またはＹ軸方向に沿って延在する単位プリズムを、その延在方向と直交する方向（Ｙ軸方向またはＸ軸方向）について多数並べて設けた構成とされており、入射光に対して単位プリズムの並び方向について選択的に集光作用を付与するものである。第１プリズムシート及び第２プリズムシートは、集光方向が互いに直交するよう配されている。反射型偏光シートは、光を偏光反射する反射型偏光フィルムを有しており、この反射型偏光フィルムによって光に含まれるｐ波を透過させ、ｓ波を裏側へ反射させることができる。この反射型偏光シートによれば、本来ならば、液晶パネル１１の偏光板によって吸収されるｓ波を、裏側（反射シート１５側）へ反射させることで再利用を促進し、輝度の向上を図ることができる。
【００１８】
光制御シート１７について詳しく説明する。光制御シート１７は、図１に示すように、ＬＥＤ１３に対してバックライト装置１２における出光経路の出口側に配されている。光制御シート１７は、液晶パネル１１やＬＥＤ基板１４などの板面に並行する板面を有するシート状をなす透光層１８を有する。透光層１８は、ほぼ透明な透光性材料（例えばアクリルやＰＥＴなどの合成樹脂製材料）からなり、入射した光（可視光線）を殆ど透過するものである。透光層１８の材料に係るヘイズ値は、３０％以下とされるのが好ましい。透光層１８における表裏一対の板面のうち、ＬＥＤ１３の発光面１３Ａと対向状をなす裏側の板面が、光が入射される入光面１８Ａとされるのに対し、光学シート１６と対向状をなす表側の板面が、光が出射される出光面１８Ｂとされる。そして、光制御シート１７は、透光層１８に対して裏側、つまりＬＥＤ１３側に配される第１遮光部１９と、透光層１８に対して表側、つまり第１遮光部１９側とは反対側に配される第２遮光部２０と、を有する。これら第１遮光部１９及び第２遮光部２０は、共に透光層１８に設けられている。具体的には、透光層１８における一対の板面のうち、入光面１８Ａ（ＬＥＤ１３側の板面）に第１遮光部１９が、出光面１８Ｂ（ＬＥＤ１３側とは反対側の板面）に第２遮光部２０が、それぞれ設けられている。従って、第１遮光部１９及び第２遮光部２０は、光制御シート１７において透光層１８の厚み分の間隔を空けて表側（ＬＥＤ１３側）と裏側（ＬＥＤ１３側とは反対側）とにそれぞれ配されている。
【００１９】
第１遮光部１９及び第２遮光部２０は、透過率よりも遮光率の方が高い材料からなり、好ましくは共に同一材料からなる。第１遮光部１９及び第２遮光部２０は、その遮光率が透光層１８の遮光率よりも高くなっている。従って、光制御シート１７に照射される光のうち、第１遮光部１９及び第２遮光部２０に当たったものは、その多くが遮られるようになっている。第１遮光部１９及び第２遮光部２０は、好ましくは光の反射性に優れた白色を呈するインクからなる。これに限らず、第１遮光部１９及び第２遮光部２０を、光の反射性に優れた金属材料からなるようにしても構わない。いずれにしても、第１遮光部１９及び第２遮光部２０は、光の反射率が光の吸収率よりも高くなっている。従って、仮に第１遮光部及び第２遮光部が光の吸収性に優れた黒色を呈するインクからなる場合に比べると、光の利用効率に優れる。第１遮光部１９及び第２遮光部２０の材料をインクとした場合には、製造に際してはインクジェット法により透光層１８の板面に第１遮光部１９及び第２遮光部２０を印刷形成するのが好ましい。インクジェット法により形成される第１遮光部１９及び第２遮光部２０は、配列ピッチの下限が０．１ｍｍ程度となる。それ以外にも、第１遮光部１９及び第２遮光部２０は、スクリーン印刷法などの他の印刷法を用いて印刷形成されていても構わない。いずれにしても印刷法により第１遮光部１９及び第２遮光部２０を印刷形成すれば、製造コストの低廉化を図る上で好ましい。しかも、第１遮光部１９及び第２遮光部２０が白色を呈するインクからなる場合には、光を拡散反射することができるので、光の指向性を緩和することができ、輝度ムラの抑制を図る上で好適となる。第１遮光部１９及び第２遮光部２０に用いるインクの材料としては、例えば太陽インキ製造株式会社製の白色インク（製品型番：ＩＪＲ−４０００など）が好ましいが、それ以外にも適宜に変更可能である。一方、第１遮光部１９及び第２遮光部２０の材料を金属材料とした場合には、製造に際してはフォトリソグラフィ法により第１遮光部１９及び第２遮光部２０をパターニングするのが好ましい。フォトリソグラフィ法では、透光層１８の板面上に成膜した金属膜に対してフォトレジストを積層し、そのフォトレジストを、フォトマスクを介して露光した後に現像し、フォトレジストをパターニングする。そのフォトレジストを介して金属膜をエッチングすることで、所定のパターンとされた金属膜からなる第１遮光部１９や第２遮光部２０を形成することができる。フォトリソグラフィ法によれば、印刷法に比べると、第１遮光部１９及び第２遮光部２０をより高い位置精度でもって形成することができ、パターンの微細化を図る上で好適となる。フォトリソグラフィ法により形成される第１遮光部１９及び第２遮光部２０は、配列ピッチが１μｍ以下になると回折の影響により特性が悪化するおそれがあるので、１０μｍ程度とされるのが好ましいが、必ずしもその限りではない。しかも、第１遮光部１９や第２遮光部２０が金属材料からなる場合は、インクからなる場合に比べると、遮光率が高くなるので、ＬＥＤ１３と光制御シート１７との間のＺ軸方向についての間隔が小さくしても、輝度ムラが生じ難くなり、薄型��を図る上で好適となる。第１遮光部１９及び第２遮光部２０に用いる金属材料としては、例えば銀、アルミニウム、銀またはアルミニウムを含む合金などを用いることができるが、これら以外にも適宜に変更可能である。
【００２０】
そして、光制御シート１７に備わる第１遮光部１９及び第２遮光部２０は、交互に繰り返し並ぶよう配されている。光制御シート１７における第１遮光部１９及び第２遮光部２０の詳しい平面配置について図２Ａ及び図２Ｂを用いて詳しく説明する。なお、図２Ａでは第１遮光部１９が網掛け状にして図示され、図２Ｂでは第２遮光部２０が網掛け状にして図示されている。また、図２Ａ及び図２Ｂでは、ＬＥＤ１３を二点鎖線にて図示している。透光層１８の入光面１８Ａに形成された第１遮光部１９は、図２Ａに示すように、平面形状が真円のドット状をなしている。第１遮光部１９は、複数が透光層１８の入光面１８Ａにおいて千鳥状（ジグザグ状）に分散して配されている。詳しくは、第１遮光部１９は、Ｘ軸方向に沿って間隔を空けて並ぶ複数が１つの行を構成しており、この行がＹ軸方向について間隔を空けて複数並んでいるが、Ｙ軸方向について隣り合う行がＸ軸方向についてずれた配置となっている。Ｙ軸方向について隣り合う行同士におけるＸ軸方向についてのずれ量は、Ｘ軸方向についての第１遮光部１９の配列ピッチ（配列間隔）の約半分程度とされる。従って、ある行においてＸ軸方向について隣り合う第１遮光部１９の中間位置に、隣り合う行に含まれる第１遮光部１９が配されることになる。第１遮光部１９は、Ｘ軸方向についての配列ピッチと、Ｘ軸方向及びＹ軸方向に対する斜め方向についての配列ピッチと、がほぼ等しくされている。従って、Ｘ軸方向について隣り合う第１遮光部１９と、それらの第１遮光部１９に対して斜め方向について隣り合う第１遮光部１９と、が正三角形の頂点に位置するよう配されている。複数の第１遮光部１９は、透光層１８の板面内において均一な分布となるよう分散配置されている。第１遮光部１９の配列ピッチは、ＬＥＤ１３の配列ピッチよりも狭くされており、具体的にはＬＥＤ１３の配列ピッチの１／５以下（より具体的には１ｍｍ以下）とされるのが好ましい。
【００２１】
透光層１８の出光面１８Ｂに形成された第２遮光部２０は、図２Ｂに示すように、平面形状が真円のドット状の開口２０Ａが複数形成されたベタ状をなしている。この開口２０Ａは、平面に視て第１遮光部１９と重畳する位置関係とされており、第１遮光部１９と同様に複数が千鳥状に分散して配されている。つまり、第２遮光部２０は、透光層１８において平面に視て第１遮光部１９が非配置とされる部分に選択的に配置されている、と言える。逆に言うと、第１遮光部１９は、透光層１８において平面に視て第２遮光部２０が非配置とされる部分に選択的に配置されている。このように第１遮光部１９及び第２遮光部２０は、互いに反転する配置であり、透光層１８の板面を相補的に平面充填するよう配されているとも言える。このことから、光制御シート１７は、その板面が第１遮光部１９が選択的に配置された第１遮光部配置領域と、第２遮光部２０が選択的に配置された第２遮光部配置領域と、に区分されている。第２遮光部２０は、透光層１８の板面における占有面積が、第１遮光部１９の同占有面積よりも大きくされている。つまり、透光層１８の板面における占有面積は、第１遮光部１９が５０％よりも小さくされるのに対し、第２遮光部２０が５０％よりも大きくされている。第２遮光部２０は、既述した第１遮光部１９とは反転する配置であることから、透光層１８の板面内において均一な分布となるよう配されている。第１遮光部１９及び第２遮光部２０は、図２Ａ及び図２Ｂに示すように、Ｘ軸方向、Ｙ軸方向及びそれらの斜め方向に沿って、各第１遮光部１９の中心を通る直線をそれぞれ描画したとき、各直線に沿って交互に繰り返し並ぶ配列となっている。交互に並ぶ第１遮光部１９及び第２遮光部２０は、規則的に配列されており、その配列ピッチ（配列間隔）は、光制御シート１７の板面内において全域にわたってほぼ一定とされる。ここで、光制御シート１７を、平面に視てＬＥＤ１３が配置されるＬＥＤ配置領域（光源配置領域）１７Ａと、ＬＥＤ１３が非配置とされるＬＥＤ非配置領域（光源非配置領域）１７Ｂと、に区分したとき、第１遮光部１９及び第２遮光部２０は、ＬＥＤ配置領域１７ＡとＬＥＤ非配置領域１７Ｂとで配列ピッチが等しくなるよう配されている。これにより、仮に第１遮光部及び第２遮光部の配列ピッチをＬＥＤ配置領域１７ＡとＬＥＤ非配置領域１７Ｂとで異ならせた場合に比べると、光制御シート１７の製造が容易になるとともに、光制御シート１７を設置する際にＬＥＤ１３に対する位置関係について配慮する必要がなくなる。
【００２２】
第１遮光部１９及び第２遮光部２０の詳しい関係性について図３を用いて説明する。第１遮光部１９及び第２遮光部２０は、図３に示すように、互いの境界部分が重なり合うことがない配置とされる。第１遮光部１９の境界部分の端面１９Ａと、第２遮光部２０の境界部分の端面（開口２０Ａ）と、は、互いに面一状をなす配置とされる。ここで、透光層１８における透光性材料に係る屈折率を「ｎ」とし、透光層１８における臨界角を「θｃ」としたとき、臨界角θｃは、次の式（１）により示される。
【００２３】
［数１］
θｃ＝ａｒｃｓｉｎ（１／ｎ）          （１）
【００２４】
上記した式（１）によれば、例えば、透光層１８の材料をアクリルとした場合には、その屈折率ｎは約１．５であるから、透光層１８の臨界角θｃは約４１．８度となる。さらには、透光層１８の板厚を「ｄ」とし、第１遮光部１９の長さを「ｐ」としたとき、光制御シート１７は、第１遮光部１９の長さｐが次の式（２）を満たすよう構成されている。
【００２５】
［数２］
ｐ＝ｄ・ｔａｎθｃ          （２）
【００２６】
上記した式（２）によれば、例えば、透光層１８の材料をアクリルとした場合には、ｔａｎθｃの値が０．９程度となることから、第１遮光部１９の長さｐは、透光層１８の板厚ｄよりも小さくなり、約０．９倍とされる。さらには、上記した式（２）によれば、透光層１８の臨界角θｃが４５度よりも小さい限りは、第１遮光部１９の長さｐは、透光層１８の板厚ｄよりも小さくなる。逆に言うと、透光層１８の臨界角θｃが４５度よりも大きくなると、第１遮光部１９の長さｐは、透光層１８の板厚ｄよりも大きくなる。なお、透光層１８の臨界角θｃが４５度の場合は、第１遮光部１９の長さｐは、透光層１８の板厚ｄと等しくなる。
【００２７】
光制御シート１７が上記のような構成とされることで、次のような作用及び効果を得ることができる。まず、ＬＥＤ１３の発光面１３Ａから発せられて光制御シート１７に照射される光のうち、第１遮光部１９や第２遮光部２０に当たる光は、図１に示すように、第１遮光部１９や第２遮光部２０によって殆どが反射される形で遮られることで外部に出射し難いものの、第１遮光部１９や第２遮光部２０に当たらない光は、透光層１８を透過して外部に出射し易くなっている。ここで、第１遮光部１９及び第２遮光部２０は、光制御シート１７において透光層１８の厚み分の間隔を空けて表側と裏側とにそれぞれ配されているから、ＬＥＤ１３から発せられた光のうち、透光層１８のうちの第１遮光部１９が非配置とされて第２遮光部２０が配置される部分に照射された光は、入射角が小さければ透光層１８を透過したところで第２遮光部２０によって遮られる可能性が高いものの、入射角が大きければ透光層１８を斜めに進行しつつ透過して第２遮光部２０が非配置とされる部分から出射する可能性が高くなる。なお、ＬＥＤ１３から発せられて透光層１８のうちの第１遮光部１９が配置されて第２遮光部２０が非配置とされる部分に照射された光は、第１遮光部１９によって遮られる。また、透光層１８の界面では、透光層１８の屈折率ｎに応じて光の屈折が生じる。
【００２８】
透光層１８（光制御シート１７）の板面内のうちのＬＥＤ１３付近では、図１に示すように、ＬＥＤ１３から透光層１８の板面に対して垂直に近い角度、つまり小さい入射角で入射する光が多いので、それらの光は第１遮光部１９が配置される部分では第１遮光部１９により反射され、第１遮光部１９が非配置とされる部分では透光層１８を透過してから多くが第２遮光部２０により反射され、いずれにしても殆どがＬＥＤ１３側に戻される。一方、光制御シート１７の板面内のうちのＬＥＤ１３の周囲では、ＬＥＤ１３から透光層１８の板面に対して垂直に近い角度で入射する光よりも、大きい入射角で入射する光の方が多くなっているので、それらの光は第１遮光部１９が配置される部分では第１遮光部１９により反射されるものの、第１遮光部１９が非配置とされる部分では透光層１８を透過し第２遮光部２０が非配置とされる部分から出射する可能性があり、入射角が大きくなるほど出射する可能性が高くなる傾向にある。そして、透光層１８に対して入射する光の入射角は、透光層１８の板面内においてＬＥＤ１３から離れるほど大きくなる傾向にある。従って、透光層１８のうち、第１遮光部１９が配置される部分と、第２遮光部２０が配置される部分と、がＬＥＤ１３に対してどのような位置関係であっても、光量が多く存在するＬＥＤ１３近傍では光の出射が抑制されるとともに、存在する光量が少ないＬＥＤ１３の周囲では光の出射が促進されて出射光量の均一化が図られる。つまり、ＬＥＤ１３と光制御シート１７とを精密に位置合わせしなくても輝度ムラを好適に抑制することができる。これにより、バックライト装置１２を製造する際の生産性が向上し、また液晶表示装置１０において表示される画像に係る表示品位が向上する。
【００２９】
ここで、ＬＥＤ１３から出射されてから直接的に第１遮光部１９における裏側の面に当たった光は、図１に示すように、そこで拡散反射されて多くがＬＥＤ１３側に戻された後に反射シート１５により再度反射されるため、一部は透光層１８を透過して出射光として利用されるものの、残りについては出射光として利用されない。これに比べると、第２遮光部２０により拡散反射された光は、ＬＥＤ１３側に戻される過程で第１遮光部１９における表側の面にて再度拡散反射されて外部に出射されるものが多く、出射光として利用される可能性が高くなっている。本実施形態では、第２遮光部２０は、図２Ａ及び図２Ｂに示すように、第１遮光部１９よりも占有面積が大きくされているから、仮に占有面積を逆の関係とした場合に比べると、第２遮光部２０により拡散反射されてから出射光として利用される光量が多くなる。これにより、光の利用効率がより高くなり、輝度の向上を図る上でより好適となる。
【００３０】
続いて、第１遮光部１９の長さｐの設定に関して詳しく説明する。まず、透光層１８に対する入射角が臨界角θｃを超えない光は、図３に示すように、透光層１８の出光面１８Ｂにおける界面にて全反射されることなく外部に出射するのに対し、透光層１８に対する入射角が臨界角θｃを超える光は、透光層１８の出光面１８Ｂにおける界面にて全反射されてＬＥＤ１３側に戻されることになる。ここで、仮に第１遮光部１９の長さｐが「ｄ・ｔａｎθｃ」よりも小さい場合（「ｐ＜ｄ」の場合）には、透光層１８に対する入射角が臨界角θｃを超えずに本来であれば出射する光の一部が第２遮光部２０に当たることで遮られるため、出射光量が減少してしまう。一方、仮に上記とは逆に第１遮光部１９の長さｐが「ｄ・ｔａｎθｃ」よりも大きい場合（「ｐ＞ｄ」の場合）には、透光層１８に対する入射角が臨界角θｃを超える光の一部が透光層１８のうちの第２遮光部２０が非配置とされる部分における界面にて全反射されてＬＥＤ１３側に戻されるのに加え、透光層１８に占める第１遮光部１９の面積比率が大きくなるために第１遮光部１９による遮光量が増加し、結果として出射光量が減少してしまう。これに対し、光制御シート１７が第１遮光部１９の長さｐが「ｄ・ｔａｎθｃ」と等しくなるよう構成されることで、第２遮光部２０による遮光が過剰になるのを避けることができるとともに、透光層１８のうちの第２遮光部２０が非配置とされる部分における界面にて光が全反射されるのを避けることができ、さらには透光層１８に占める第１遮光部１９の面積比率が過大になるのを避けることができる。以上により、光制御シート１７の出射光量を十分に確保することができる。その上で、第１遮光部１９は、平面形状が真円となるよう形成されているので、第１遮光部１９の長さｐが全方位にわたって一定となる。従って、透光層１８のうち第１遮光部１９が非配置とされる部分に対してどの方位から光が入射しても、第２遮光部２０による遮光が過剰になるのを避けることができるとともに、透光層１８のうちの第２遮光部２０が非配置とされる部分における界面にて光が全反射されるのを避けることができ、さらには透光層１８に占める第１遮光部１９の面積比率が過大になるのを避けることができる。これにより、光制御シート１７の出射光量をより多く確保することができる。
【００３１】
以上説明したように本実施形態のバックライト装置（照明装置）１２は、ＬＥＤ（光源）１３と、ＬＥＤ１３に対して出光経路の出口側に配される光制御シート（光制御部材）１７であって、光を透過する透光層１８と、透光層１８に対してＬＥＤ１３側に配される第１遮光部１９と、透光層１８に対して第１遮光部１９側とは反対側に配される第２遮光部２０と、を有する光制御シート１７と、を備えるものであって、第１遮光部１９及び第２遮光部２０は、交互に繰り返し並ぶよう配されている。
【００３２】
このようにすれば、ＬＥＤ１３から発せられた光は、ＬＥＤ１３に対して出光経路の出口側に配される光制御シート１７によって外部への出射が制御される。光制御シート１７に照射される光のうち、第１遮光部１９や第２遮光部２０に当たる光は、第１遮光部１９や第２遮光部２０によって遮られることで外部に出射し難いものの、第１遮光部１９や第２遮光部２０に当たらない光は、透光層１８を透過して外部に出射し易くなっている。光制御シート１７において第１遮光部１９及び第２遮光部２０は、交互に繰り返し並ぶよう配されているから、透光層１８のうちの第１遮光部１９が非配置とされる部分には第２遮光部２０が配置されるのに対し、透光層１８のうちの第２遮光部２０が非配置とされる部分には第１遮光部１９が配置されることになる。ここで、第１遮光部１９及び第２遮光部２０は、光制御シート１７において透光層１８の厚み分の間隔を空けてＬＥＤ１３側とその反対側とにそれぞれ配されているから、ＬＥＤ１３から発せられて透光層１８のうちの第１遮光部１９が非配置とされる部分に照射された光は、入射角が小さければ透光層１８を透過したところで第２遮光部２０によって遮られる可能性が高いものの、入射角が大きければ透光層１８を斜めに進行しつつ透過して第２遮光部２０が非配置とされる部分から出射する可能性が高くなる。なお、ＬＥＤ１３から発せられて透光層１８のうちの第２遮光部２０が非配置とされる部分に照射された光は、第１遮光部１９によって遮られる。そして、ＬＥＤ１３付近では、光制御シート１７に対して小さい入射角でもって入射する光が多く存在することから、多くの光が第１遮光部１９や第２遮光部２０によって遮られるのに対し、ＬＥＤ１３の周囲では、ＬＥＤ１３から離れるほど光制御シート１７に対して入射する光の入射角が大きくなるとともに、第１遮光部１９や第２遮光部２０によって遮られずに光制御シート１７を出射する光量が多くなる傾向にある。従って、透光層１８のうち、第１遮光部１９が配置される部分と、第２遮光部２０が配置される部分と、がＬＥＤ１３に対してどのような位置関係であっても、光量が多いＬＥＤ１３近傍では光の出射が抑制されるとともに、光量が少ないＬＥＤ１３の周囲では光の出射が促進されて出射光量の均一化が図られる。つまり、ＬＥＤ１３と光制御シート１７とを精密に位置合わせせずとも輝度ムラを好適に抑制することができる。このように、ＬＥＤ１３と光制御シート１７とが特定の位置関係になくても光制御シート１７の光学機能が十分に発揮されることから、例えば熱環境の変化に起因して光制御シート１７に熱膨張や熱収縮が生じ、それに伴ってＬＥＤ１３に対する各遮光部１９，２０の位置関係が変化した場合であっても、光制御シート１７の光学機能が損なわれることがなく、輝度ムラが好適に抑制される。  
【００３３】
また、透光層１８は、光を透過する透光性材料からなる。このようにすれば、透光層１８によって第１遮光部１９と第２遮光部２０との間の間隔を一定に保持することができるので、仮に透光層が空気層とされる場合に比べると、第１遮光部１９と第２遮光部２０との位置関係を安定的に保つことができる。これにより、ＬＥＤ１３から発せられた光が、透光層１８における第１遮光部１９が非配置とされる部分に入射して斜めに進行した後、第２遮光部２０により遮られるか遮られることなく出射するか、を透光層１８に対する入射角に応じて適切に制御することができる。
【００３４】
また、透光層１８の板厚をｄとし、透光層１８における透光性材料に係る屈折率に基づく臨界角をθｃとし、第１遮光部１９の長さをｐとしたとき、光制御シート１７は、上記した式（２）を満たすよう構成される。
【００３５】
まず、透光層１８に対する入射角が臨界角θｃを超えない光は、透光層１８の界面にて全反射されることなく外部に出射するのに対し、透光層１８に対する入射角が臨界角θｃを超える光は、透光層１８の界面にて全反射されてＬＥＤ１３側に戻される。ここで、仮に第１遮光部１９の長さｐが「ｄ・ｔａｎθｃ」よりも小さい場合には、透光層１８に対する入射角が臨界角θｃを超えない光の一部が第２遮光部２０に当たることで遮られるため、出射光量が減少してしまう。一方、仮に上記とは逆に第１遮光部１９の長さｐが「ｄ・ｔａｎθｃ」よりも大きい場合には、透光層１８に対する入射角が臨界角θｃを超える光の一部が透光層１８のうちの第２遮光部２０が非配置とされる部分における界面にて全反射されてＬＥＤ１３側に戻されるのに加え、透光層１８に占める第１遮光部１９の面積比率が大きくなるために第１遮光部１９による遮光量が増加し、結果として出射光量が減少してしまう。これに対し、光制御シート１７が上記した式（２）を満たすよう構成されることで、第２遮光部２０による遮光が過剰になるのを避けることができるとともに、透光層１８のうちの第２遮光部２０が非配置とされる部分における界面にて光が全反射されるのを避けることができ、さらには透光層１８に占める第１遮光部１９の面積比率が過大になるのを避けることができる。以上により、光制御シート１７の出射光量を十分に確保することができる。
【００３６】
また、第１遮光部１９は、平面形状が真円となるよう形成されている。このようにすれば、第１遮光部１９の長さｐが全方位にわたって一定となる。従って、透光層１８のうち第１遮光部１９が非配置とされる部分に対してどの方位から光が入射しても、第２遮光部２０による遮光が過剰になるのを避けることができるとともに、透光層１８のうちの第２遮光部２０が非配置とされる部分における界面にて光が全反射されるのを避けることができ、さらには透光層１８に占める第１遮光部１９の面積比率が過大になるのを避けることができる。これにより、光制御シート１７の出射光量をより多く確保することができる。
【００３７】
また、透光層１８における一対の板面１８Ａ，１８Ｂのうち、ＬＥＤ１３側の板面である入光面１８Ａに第１遮光部１９が、ＬＥＤ１３側とは反対側の板面である出光面１８Ｂに第２遮光部２０が、それぞれ設けられている。このようにすれば、仮に第１遮光部１９及び第２遮光部２０のうちのいずれか一方を透光層１８と別の部材に設けるようにした場合に比べると、部品点数の削減が図られる。
【００３８】
また、第１遮光部１９及び第２遮光部２０は、光の吸収率よりも光の反射率が高い。このようにすれば、仮に光の吸収率が光の反射率よりも高い場合に比べると、第１遮光部１９及び第２遮光部２０により反射した光をより多く出射光として利用することができるので、光の利用効率が高くなり、輝度の向上を図る上で好適となる。
【００３９】
また、第２遮光部２０は、第１遮光部１９よりも占有面積が大きい。第１遮光部１９により反射された光は、そのままＬＥＤ１３側に戻されるため、出射光として利用される可能性は低くなっている。これに比べて、第２遮光部２０により反射された光は、ＬＥＤ１３側に戻される過程で第１遮光部１９により反射されて外部に出射される場合もあることから、出射光として利用される可能性が高くなっている。第２遮光部２０が第１遮光部１９よりも占有面積が大きくされることで、光の利用効率がより高くなり、輝度の向上を図る上でより好適となる。
【００４０】
また、光制御シート１７は、平面に視てＬＥＤ１３が配置されるＬＥＤ配置領域（光源配置領域）１７Ａと、ＬＥＤ１３が非配置とされるＬＥＤ非配置領域（光源非配置領域）１７Ｂと、に区分されており、第１遮光部１９及び第２遮光部２０は、ＬＥＤ配置領域１７ＡとＬＥＤ非配置領域１７Ｂとで配列間隔が等しくなるよう配されている。このようにすれば、仮に第１遮光部及び第２遮光部２０の配列間隔をＬＥＤ配置領域１７ＡとＬＥＤ非配置領域１７Ｂとで異ならせた場合に比べると、光制御シート１７の製造が容易になる。なお、上記のようにＬＥＤ配置領域１７ＡとＬＥＤ非配置領域１７Ｂとで第１遮光部１９及び第２遮光部２０の配列間隔が等しくなっていても、第１遮光部１９及び第２遮光部２０の光制御機能は適切に発揮されて輝度ムラが好適に抑制されるようになっている。
【００４１】
また、本実施形態に係る液晶表示装置１０は、上記記載のバックライト装置１２と、バックライト装置１２から照射される光を利用して画像を表示する液晶パネル（表示パネル）１１と、を備える。このような液晶表示装置１０によれば、バックライト装置１２の出射光に輝度ムラが生じ難くなっているから、優れた表示品位が得られる。
【００４２】
＜実施形態２＞
本発明の実施形態２を図４によって説明する。この実施形態２では、第１遮光部１１９及び第２遮光部１２０の構成を変更したものを示す。なお、上記した実施形態１と同様の構造、作用及び効果について重複する説明は省略する。
【００４３】
本実施形態に係る第１遮光部１１９及び第２遮光部１２０は、図４に示すように、境界部分同士が重なり合うよう配されている。詳しくは、平面形状が真円の第１遮光部１１９における外周端部は、第２遮光部１２０の開口１２０Ａにおける開口縁部に対して全周にわたって平面に視て重畳するよう配されている。第１遮光部１１９と第２遮光部１２０との重畳部分は、平面に視て円環状（ドーナツ状）をなしており、その重畳幅Ｗ１は全周にわたってほぼ一定とされる。この光制御シート１１７は、その板面が上記した実施形態１に記載した第１遮光部配置領域及び第２遮光部配置領域に加えて、第１遮光部１１９及び第２遮光部１２０が共に配置される遮光部併設領域に区分される。本実施形態によれば、光制御シート１１７のうちの第１遮光部１１９が非配置とされる部分に照射される光のうち、入射角が０度よりも少し大きい程度の光が第１遮光部１１９及び第２遮光部１２０における重畳部分（遮光部併設領域）により遮られる可能性が高くなる。従って、図示しないＬＥＤの近傍において光制御シート１１７に対する入射角が小さい光が多く存在していても、それらの光が第１遮光部１１９及び第２遮光部１２０における重畳部分によって効率的に遮られるので、ＬＥＤの近傍において局所的な明部が視認され難くなる。これにより、輝度ムラの発生がより好適に抑制される。
【００４４】
以上説明したように本実施形態によれば、第１遮光部１１９及び第２遮光部１２０は、境界部分同士が重なり合うよう配されている。このようにすれば、仮に第１遮光部及び第２遮光部における境界部分同士が重なり合わない配置とされる場合に比べると、光制御シート１１７に対する入射角が小さい光をより多く遮ることができる。特に、ＬＥＤ近傍に配される第１遮光部１１９及び第２遮光部１２０には、入射角が小さい光が多く照射されるが、その光を第１遮光部１１９及び第２遮光部１２０において重なり合う境界部分によって多く遮ることができるので、ＬＥＤ近傍からの光の出射が抑制されて局所的な明部が視認され難くなる。また、境界部分同士が重なり合っているために、第１遮光部１１９と第２遮光部１２０を形成する際に多少の位置ずれが発生した場合でも、ＬＥＤ近傍の光を遮ることができ、それにより局所的な明部が視認され難くなる。
【００４５】
＜実施形態３＞
本発明の実施形態３を図５によって説明する。この実施形態３では、上記した実施形態１から光制御シート２１７の構成などを変更したものを示す。なお、上記した実施形態１と同様の構造、作用及び効果について重複する説明は省略する。
【００４６】
本実施形態に係るバックライト装置２１２には、図５に示すように、光制御シート２１７及び光学シート２１６を裏側（ＬＥＤ２１３側）から支持する支持部材２１が備えられる。支持部材２１は、Ｚ軸方向についてＬＥＤ基板２１４（反射シート２１５）と光制御シート２１７との間に介在する形で配されており、ＬＥＤ基板２１４側から光制御シート２１７に向けて先細りの柱状をなしている。支持部材２１は、反射シート２１５と同様に光の反射性に優れた白色を呈する合成樹脂製とされる。また、支持部材２１は、隣り合うＬＥＤ２１３のほぼ中間位置に配されている。光制御シート２１７及び光学シート２１６は、支持部材２１によって裏側から支持されることで、撓みなどの変形が抑制される。これに対し、光制御シート２１７には、透光層２１８に対して第１遮光部２１９を介してＬＥＤ２１３側に重なるよう積層形成される保護層２２が設けられている。保護層２２は、透光層２１８と同様にほぼ透明な透光性材料からなる。保護層２２を透光層２１８と同一材料または屈折率が同じ材料とすれば、界面にて光の屈折が生じるのを避けることができる点で好ましい。しかし、保護層２２と透光層２１８とを屈折率が異なる材料により構成することも可能であり、その場合は保護層２２の材料に係るヘイズ値を３０％以下とするのが好ましい。保護層２２は、透光層２１８における入光面２１８Ａを覆うとともに第１遮光部２１９を覆うよう、ベタ状に設けられている。そして、支持部材２１は、光制御シート２１７のうちの保護層２２に当接されるようになっているから、支持部材２１が第１遮光部２１９に対して擦れるなどのように干渉して第１遮光部２１９を剥離させる、といった問題が生じ難くなっている。これにより、第１遮光部２１９の光制御機能を適切に発揮させることができる。
【００４７】
以上説明したように本実施形態によれば、第１遮光部２１９は、透光層２１８におけるＬＥＤ２１３側の板面に設けられており、透光層２１８に対して第１遮光部２１９を介してＬＥＤ２１３側に重なるよう積層形成される保護層２２と、光制御シート２１７に対してＬＥＤ２１３側に配されていて保護層２２に当接して光制御シート２１７を支持する支持部材２１と、を備える。このようにすれば、光制御シート２１７は、ＬＥＤ２１３側に配される支持部材２１によって支持されることで、撓みなどの変形が抑制される。支持部材２１は、光制御シート２１７のうち、透光層２１８に対して第１遮光部２１９を介してＬＥＤ２１３側に重なるよう積層形成される保護層２２に当接されるから、支持部材２１が第１遮光部２１９に対して干渉して第１遮光部２１９を剥離させるなどの問題が生じ難くなっている。これにより、第１遮光部２１９の光制御機能を適切に発揮させることができる。
【００４８】
＜実施形態４＞
本発明の実施形態４を図６によって説明する。この実施形態４では、上記した実施形態１から光制御シート３１７の構成を変更したものを示す。なお、上記した実施形態１と同様の構造、作用及び効果について重複する説明は省略する。
【００４９】
本実施形態に係る光制御シート３１７は、図６に示すように、透光層３１８に対して裏側に重なるよう配される第２の透光層２３を備える。第２の透光層２３は、透光層３１８と同様にほぼ透明な透光性材料からなる。第２の透光層２３を透光層３１８と同一材料または屈折率が同じ材料とすれば、界面にて光の屈折が生じるのを避けることができる点で好ましい。しかし、第２の透光層２３と透光層３１８とを屈折率が異なる材料により構成することも可能であり、その場合は第２の透光層２３の材料に係るヘイズ値を３０％以下とするのが好ましい。第２の透光層２３における表裏一対の板面のうち、ＬＥＤ３１３の発光面３１３Ａと対向状をなす裏側の板面が、光が入射される入光面２３Ａとされるのに対し、透光層３１８と対向する表側の板面が、光が出射される出光面２３Ｂとされる。第１遮光部３１９及び第２遮光部３２０のうちの第１遮光部３１９は、第２の透光層２３における入光面２３Ａに、第２遮光部３２０は、透光層３１８における出光面３１８Ｂに、それぞれ設けられている。従って、本実施形態では、光制御シート３１７の製造に際しては、透光層３１８における出光面３１８Ｂに第２遮光部３２０を、第２の透光層２３における入光面２３Ａに第１遮光部３１９を、連続的に設け、これら透光層３１８及び第２の透光層２３を重なるよう配すればよい。従って、上記した実施形態１のように、透光層１８における入光面１８Ａに第１遮光部１９を設けた後、透光層１８を反転させて出光面１８Ｂに第２遮光部２０を設けるようにした場合（図１を参照）に比べると、第１遮光部３１９と第２遮光部３２０との位置関係にずれが生じ難くなる。しかも、第２の透光層２３は、光制御シート３１７の中で最もＬＥＤ３１３に近い側に配されることになるので、例えば上記した実施形態３に記載した支持部材２１（図５を参照）を備える場合には、その支持部材２１が第２の透光層２３に当接されることになり、支持部材２１が第１遮光部３１９に干渉するのを避けられる。
【００５０】
以上説明したように本実施形態によれば、第１遮光部３１９及び第２遮光部３２０のうちの一方は、透光層３１８に設けられており、第１遮光部３１９及び第２遮光部３２０のうちの他方が設けられていて透光層３１８に対して重なるよう配されていて透光性材料からなる第２の透光層２３を備える。光制御シート３１７の製造に際しては、透光層３１８における一方の板面に第１遮光部３１９及び第２遮光部３２０のうちの一方を、第２の透光層２３における一方の板面に第１遮光部３１９及び第２遮光部３２０のうちの他方を、連続的に設け、これら透光層３１８及び第２の透光層２３を重なるよう配すればよい。従って、仮に、透光層における一方の板面に第１遮光部を設けた後、透光層を反転させて他方の板面に第２遮光部を設けるようにした場合に比べると、第１遮光部３１９と第２遮光部３２０との位置関係にずれが生じ難くなる。
【００５１】
また、透光層３１８は、ＬＥＤ３１３側とは反対側の板面に第２遮光部３２０が設けられているのに対し、第２の透光層２３は、透光層３１８に対してＬＥＤ３１３側に重なるよう配されていてＬＥＤ３１３側とは反対側の板面に第１遮光部３１９が設けられている。このようにすれば、光制御シート３１７の中で第２の透光層２３が最もＬＥＤ３１３に近い側に配されることになる。従って、光制御シート３１７に対してＬＥＤ３１３側に配される部材が第１遮光部３１９に対して干渉するのを第２の透光層２３により防ぐことができる。
【００５２】
＜実施形態５＞
本発明の実施形態５を図７によって説明する。この実施形態５では、上記した実施形態４から光制御シート４１７の構成などを変更したものを示す。なお、上記した実施形態４と同様の構造、作用及び効果について重複する説明は省略する。
【００５３】
本実施形態に係る光制御シート４１７は、図７に示すように、第２の透光層４２３にＬＥＤ４１３から発せられた一次光を波長変換して二次光を発する蛍光体が含まれている。これに伴い、ＬＥＤ４１３は、第２の透光層４２３に含まれる蛍光体により波長変換される一次光（励起光）を発する構成に変更されている。具体的には、ＬＥＤ４１３は、青色光を発する青色ＬＥＤチップ（青色ＬＥＤ素子）を、蛍光体を含有しない封止材によってケース内に封止した構成とされ、それにより一次光である青色光を単色発光するものとされる。ここで言う青色光は、青色に属する波長領域（約４００ｎｍ〜約５００ｎｍ）の可視光線である。これに対し、第２の透光層４２３は、蛍光体として、青色光を波長変換して緑色光を発する緑色蛍光体と、青色光を波長変換して赤色光を発する赤色蛍光体と、を含んでいる。第２の透光層４２３に含まれる緑色蛍光体及び赤色蛍光体は、励起波長が蛍光波長よりも短波長とされるダウンコンバージョン型（ダウンシフティング型）となっている。ここで言う緑色光は、緑色に属する波長領域（約５００ｎｍ〜約５７０ｎｍ）の可視光線であり、赤色光は、赤色に属する波長領域（約６００ｎｍ〜約７８０ｎｍ）の可視光線である。第２の透光層４２３に含まれる緑色蛍光体及び赤色蛍光体としては、量子ドット蛍光体（Quantum Dot Phosphor）が用いられるのが好ましい。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。
【００５４】
このような構成によれば、ＬＥＤ４１３から発せられた青色光は、第２の透光層４２３に入射すると、その一部が緑色蛍光体及び赤色蛍光体によって緑色光や赤色光に波長変換される。従って、透光層４１８に入射する光には、第２の透光層４２３にて波長変換されなかった青色光と、第２の透光層４２３にて波長変換された緑色光及び赤色光と、が含まれることになるので、透光層４１８の出射光は、これらの光の加法混色によって白色光となる。このように、本実施形態に係る光制御シート４１７は、光制御機能に加えて波長変換機能を有していて高機能化が図られているので、仮に光学シート４１６に波長変換機能を有する波長変換シートを追加する場合に比べると、光学シート４１６の使用枚数を削減することができる。
【００５５】
以上説明したように本実施形態によれば、第２の透光層４２３は、ＬＥＤ４１３から発せられた一次光を波長変換して二次光を発する蛍光体を含む。このようにすれば、ＬＥＤ４１３から発せられた一次光は、一部が第２の透光層４２３に含まれる蛍光体により二次光に波長変換されるものの、一部は波長変換されずに第２の透光層４２３を透過した後、各遮光部４１９，４２０によって遮られたり透光層４１８を透過したりする。これにより、光制御シート４１７の高機能化を図ることができる。また、仮に第２の透光層に光を拡散させる機能などを持たせた場合に比べると、第２の透光層４２３に含ませる蛍光体によって各遮光部４１９，４２０の光制御機能が損なわれ難くなっている。
【００５６】
＜実施形態６＞
本発明の実施形態６を図８によって説明する。この実施形態６では、上記した実施形態４から光制御シート５１７の構成を変更したものを示す。なお、上記した実施形態４と同様の構造、作用及び効果について重複する説明は省略する。
【００５７】
本実施形態に係る光制御シート５１７は、図８に示すように、第２の透光層５２３が透光層５１８に対して表側に重なるよう配される構成となっている。これに伴い、第１遮光部５１９及び第２遮光部５２０のうちの第１遮光部５１９は、透光層５１８における入光面５１８Ａに、第２遮光部５２０は、第２の透光層５２３における入光面５２３Ａ（ＬＥＤ５１３側の板面）にそれぞれ設けられている。このような構成によれば、第２の透光層５２３は、光制御シート５１７の中で最もＬＥＤ５１３側から遠い側に配されることになる。従って、第２の透光層５２３に何らかの光学機能を持たせるようにしても、各遮光部５１９，５２０の光制御機能が損なわれるのが避けられる。
【００５８】
以上説明したように本実施形態によれば、透光層５１８は、ＬＥＤ５１３側の板面に第１遮光部５１９が設けられているのに対し、第２の透光層５２３は、透光層５１８に対してＬＥＤ５１３側とは反対側に重なるよう配されていてＬＥＤ５１３側の板面に第２遮光部５２０が設けられている。このようにすれば、光制御シート５１７の中で第２の透光層５２３が最もＬＥＤ５１３側から遠い側に配されることになる。従って、第２の透光層５２３に何らかの光学機能を持たせるようにしても、各遮光部５１９，５２０の光制御機能が損なわれるのが避けられる。
【００５９】
＜実施形態７＞
本発明の実施形態７を図９によって説明する。この実施形態７では、上記した実施形態６から光制御シート６１７を変更したものを示す。なお、上記した実施形態６と同様の構造、作用及び効果について重複する説明は省略する。
【００６０】
本実施形態に係る光制御シート６１７は、図９に示すように、第２の透光層６２３が光を拡散させる光拡散機能を有する。第２の透光層６２３に光拡散機能を持たせるにあたっては、例えば第２の透光層６２３内に光を拡散させる光拡散粒子を分散配合させるようにしてもよいが、それ以外にも第２の透光層６２３における入光面６２３Ａや出光面６２３Ｂに光を拡散させる粗面を形成するようにしてもよい。いずれにしても、第２の透光層６２３に光拡散機能を持たせるようにすれば、透光層６１８を透過した光は、第２の透光層６２３を透過する際に拡散させられつつ外部へと出射することになる。これにより、各遮光部６１９，６２０の光制御機能を損なうことなく、輝度ムラをより好適に抑制することができる。
【００６１】
以上説明したように本実施形態によれば、第２の透光層６２３は、光を拡散させる光拡散機能を有する。このようにすれば、透光層６１８を透過した光は、第２の透光層６２３を透過する際に拡散させられつつ外部へと出射する。これにより、各遮光部６１９，６２０の光制御機能を損なうことなく、輝度ムラをより好適に抑制することができる。
【００６２】
＜実施形態８＞
本発明の実施形態８を図１０によって説明する。この実施形態８では、上記した実施形態１から第１遮光部７１９及び第２遮光部７２０の構成を変更したものを示す。なお、上記した実施形態１と同様の構造、作用及び効果について重複する説明は省略する。
【００６３】
本実施形態に係る第１遮光部７１９及び第２遮光部７２０は、図１０に示すように、境界部分の間に間隔が空くよう配されている。詳しくは、平面形状が真円の第１遮光部７１９における外周端部は、第２遮光部７２０の開口７２０Ａにおける開口縁部に対して全周にわたって間隔を空けて配されている。つまり、この光制御シート７１７は、その板面が上記した実施形態１に記載した第１遮光部配置領域及び第２遮光部配置領域に加えて、第１遮光部７１９及び第２遮光部７２０が共に非配置される遮光部非配置領域に区分される。この遮光部非配置領域は、平面に視て円環状（ドーナツ状）をなしており、その幅Ｗ２は全周にわたってほぼ一定とされる。本実施形態によれば、遮光部非配置領域の分だけ光制御シート７１７の出射光量が増加するので、輝度の向上を図る上で好適となる。
【００６４】
＜実施形態９＞
本発明の実施形態９を図１１によって説明する。この実施形態９では、上記した実施形態１から第１遮光部８１９及び第２遮光部８２０の構成を変更したものを示す。なお、上記した実施形態１と同様の構造、作用及び効果について重複する説明は省略する。
【００６５】
本実施形態に係る光制御シート８１７は、図１１に示すように、ＬＥＤ配置領域８１７Ａでは、第１遮光部８１９及び第２遮光部８２０の境界部分同士が重なり合うよう配されるのに対し、ＬＥＤ非配置領域８１７Ｂでは、第１遮光部８１９及び第２遮光部８２０の境界部分の間に間隔が空くよう配されている。つまり、ＬＥＤ配置領域８１７Ａでは、第１遮光部８１９及び第２遮光部８２０が上記した実施形態２（図４を参照）と同様の配置とされるのに対し、ＬＥＤ非配置領域８１７Ｂでは、第１遮光部８１９及び第２遮光部８２０が上記した実施形態８（図１０を参照）と同様の配置とされる。このような構成によれば、光量が多く存在するＬＥＤ配置領域８１７Ａにおける光の出射がより抑制されるのに対し、存在する光が少ないＬＥＤ非配置領域８１７Ｂにおける光の出射がより促進されるので、輝度ムラの抑制を図る上でより好適となる。
【００６６】
＜他の実施形態＞
本発明は上記記述及び図面によって説明した実施形態に限定されるものではなく、例えば次のような実施形態も本発明の技術的範囲に含まれる。
【００６７】
（１）上記した各実施形態以外にも、第１遮光部及び第２遮光部の平面形状は適宜に変更可能である。例えば、図１２Ａに示すように、第１遮光部１９−１の平面形状を正方形とすることも可能である。この場合、第２遮光部２０−１は、図１２Ｂに示すように、平面形状が正方形の開口２０Ａ−１が千鳥状に分散配置される構成となる。
【００６８】
（２）上記した（１）以外にも、図１３Ａに示すように、平面形状が正方形の第１遮光部１９−２がマトリクス状（行列状）に並んで配されていてもよい。第１遮光部１９−２は、Ｘ軸方向及びＹ軸方向に沿ってそれぞれ複数ずつ並んで配されている。第２遮光部２０−２は、図１３Ｂに示すように、平面形状が正方形の開口２０Ａ−２がマトリクス状に分散配置される構成となる。
【００６９】
（３）上記した（１），（２）以外にも、図１４Ａ及び図１４Ｂに示すように、第１遮光部１９−３及び第２遮光部２０−３がＸ軸方向及びＹ軸方向について交互に繰り返し並ぶよう市松配置されていても構わない。この場合、第１遮光部１９−３及び第２遮光部２０−３の占有面積が同等になる。
【００７０】
（４）上記した（１）〜（３）以外にも、図１５Ａに示すように、第１遮光部１９−４が平面に視て波形（屈曲箇所が湾曲する形）に蛇行する形状であっても構わない。第１遮光部１９−４は、Ｙ軸方向に沿って延在しつつ途中で繰り返し蛇行する形状とされており、Ｘ軸方向に沿って複数が間隔を空けて並んで配されている。第２遮光部２０−４は、図１５Ｂに示すように、平面形状が波形に蛇行する開口２０Ａ−４がＸ軸方向に沿って複数間隔を空けて並ぶ構成となる。
【００７１】
（５）上記した（１）〜（４）以外にも、図１６Ａに示すように、第１遮光部１９−５がＹ軸方向に沿って延在する縦長の帯状をなしていてもよい。第１遮光部１９−５は、Ｙ軸方向に沿って光制御シート１７−５の全長にわたって延在しており、Ｘ軸方向に沿って複数が間隔を空けて並んで配されている。第２遮光部２０−５は、図１６Ｂに示すように、平面形状が縦長の帯状をなす開口２０Ａ−５がＸ軸方向に沿って複数間隔を空けて並ぶ構成となる。
【００７２】
（６）上記した各実施形態では、光学シートを備えたバックライト装置を示したが、図１７に示すように、光学シートを省略したバックライト装置１２−６であっても構わない。光学シートを備えないバックライト装置１２−６であっても、光制御シート１７−６によって十分に輝度ムラの少ない出射光が得られる。
【００７３】
（７）上記した各実施形態では、第１遮光部と第２遮光部とにより挟み込まれる透光層が透光性材料からなる場合を示したが、図１８に示すように、透光層１８−７が空気層であっても構わない。この場合、光制御シート１７−７は、透光層１８−７を挟み込むよう配される一対の透光板２４，２５を備え、透光層１８−７に対して裏側に配される一方の透光板２４における出光面２４Ａに第１遮光部１９−７が、透光層１８−７に対して表側に配される他方の透光板２５における入光面２５Ａに第２遮光部２０−７が、それぞれ設けられる構成とされる。
【００７４】
（８）上記した各実施形態及び（１）〜（３）以外にも、第１遮光部及び第２遮光部の具体的な平面形状は適宜に変更可能である。例えば、第１遮光部の平面形状は、真円や正方形以外に楕円、長方形、台形、菱形、三角形、五角形以上の多角形などでも構わない。第２遮光部は、変更された第１遮光部の平面形状が開口の平面形状となる。
【００７５】
（９）上記した（４）では、第１遮光部及び第２遮光部の開口がＹ軸方向に沿って延在しつつ蛇行する場合を示したが、第１遮光部及び第２遮光部の開口がＸ軸方向に沿って延在しつつ蛇行する平面形状であっても構わない。また、第１遮光部及び第２遮光部の開口が波形に蛇行する場合以外にも、第１遮光部及び第２遮光部の開口が、屈曲箇所に角が生じるよう蛇行する平面形状であっても構わない。
【００７６】
（１０）上記した（５）では、第１遮光部及び第２遮光部の開口がＹ軸方向に沿って延在する縦長の帯状とされる場合を示したが、第１遮光部及び第２遮光部の開口がＸ軸方向に沿って延在する横長の帯状とされる平面形状であっても構わない。また、第１遮光部及び第２遮光部の開口がＸ軸方向及びＹ軸方向の斜め方向に沿って延在する帯状とされる平面形状であっても構わない。
【００７７】
（１１）上記した各実施形態（上記した（３）を除く）では、第１遮光部の占有面積が第２遮光部の占有面積よりも大きくなる場合を示したが、第１遮光部の占有面積が第２遮光部の占有面積よりも小さくなっていてもよく、また第１遮光部及び第２遮光部の占有面積が同等であってもよい。例えば、各実施形態における第１遮光部と第２遮光部との関係を逆転させることも可能である。
【００７８】
（１２）上記した各実施形態では、第１遮光部及び第２遮光部における光の反射率が光の吸収率よりも高い場合を示したが、第１遮光部及び第２遮光部における光の吸収率が光の反射率よりも高くなっていても構わない。例えば、第１遮光部及び第２遮光部の材料を、光の吸収性に優れた黒色を呈するインクなどとすることも可能である。
【００７９】
（１３）上記した各実施形態以外にも、第１遮光部及び第２遮光部における具体的な材料や形成方法などは適宜に変更可能である。その場合、第１遮光部と第２遮光部とで材料や形成方法などを異ならせることも可能である。また、第１遮光部及び第２遮光部は、一定程度光を透過しても構わないが、その場合でも遮光率が透光率よりも高いことが必要である。つまり、第１遮光部及び第２遮光部は、必ずしも遮光率がほぼ１００％である必要はない。
【００８０】
（１４）上記した各実施形態では、第１遮光部の長さｐが「ｄ・ｔａｎθｃ」と等しい場合を示したが、第１遮光部の長さｐが「ｄ・ｔａｎθｃ」よりも大きい構成（「ｐ＞ｄ」となる構成）や第１遮光部の長さｐが「ｄ・ｔａｎθｃ」よりも小さい構成（「ｐ＜ｄ」となる構成）であっても構わない。
【００８１】
（１５）上記した実施形態２，９では、第１遮光部の外周端部が全周にわたって第２遮光部の開口における開口縁部と重畳する場合を示したが、第１遮光部の外周端部が周方向について部分的に第２遮光部の開口における開口縁部と重畳する構成であっても構わない。
【００８２】
（１６）上記した実施形態８，９では、第１遮光部の外周端部と、第２遮光部の開口における開口縁部と、の間に全周にわたって間隔が空けられる場合を示したが、第１遮光部の外周端部と、第２遮光部の開口における開口縁部と、の間に周方向について部分的に間隔が空けられる構成であっても構わない。
【００８３】
（１７）上記した実施形態２，８，９に記載した構成に、上記した（１）〜（７）の構成などを組み合わせることも可能である。
【００８４】
（１８）上記した実施形態３に記載した支持部材を、上記した実施形態６，７などに追加することも可能である。
【００８５】
（１９）上記した実施形態４，５では、第２の透光層における出光面に第１遮光部が設けられた場合を示したが、第２の透光層における入光面に第１遮光部を設けるようにしてもよい。
【００８６】
（２０）上記した実施形態４，５に記載した構成に、上記した実施形態３に記載した保護層を追加することも可能である。
【００８７】
（２１）上記した実施形態５では、光源として青色光を発するＬＥＤを用いた場合を示したが、光源として青色以外の色の光を発するＬＥＤを用いることも可能であり、その場合は第２の透光層に含有させる蛍光体が呈する色もＬＥＤの光の色に応じて変更すればよい。例えば、マゼンタ色の光を発するＬＥＤを用いる場合には、第２の透光層に含有させる蛍光体としてマゼンダ色の補色となる緑色を呈する緑色蛍光体を用いるようにすれば、バックライト装置の照明光（出射光）を白色化することができる。
【００８８】
（２２）上記した（２１）以外にも、紫色の光を発するＬＥＤを用いる場合には、第２の透光層に含有させる蛍光体として紫色の補色となる黄緑色を呈するよう緑色蛍光体及び黄色蛍光体を用いるようにすれば、バックライト装置の照明光（出射光）を白色化することができる。
【００８９】
（２３）上記した（２１），（２２）以外にも、シアン色の光を発するＬＥＤを用いる場合には、第２の透光層に含有させる蛍光体としてシアン色の補色となる赤色を呈する赤色蛍光体を用いるようにすれば、バックライト装置の照明光（出射光）を白色化することができる。
【００９０】
（２４）上記した各実施形態では、第２の透光層が緑色蛍光体及び赤色蛍光体を含む構成とされる場合を示したが、第２の透光層に黄色蛍光体のみを含ませた構成としたり、黄色蛍光体に加えて赤色蛍光体や緑色蛍光体を含ませた構成としたりすることも可能である。
【００９１】
（２５）上記した各実施形態では、第２の透光層に量子ドット蛍光体を含有させた構成のものを例示したが、他の種類の蛍光体を第２の透光層に含有させるようにしても構わない。第２の透光層に含有させる他の蛍光体としては、例えば硫化物蛍光体が挙げられるが、必ずしもその限りではない。
【００９２】
（２６）上記した実施形態６，７では、第２の透光層における入光面に第２遮光部が設けられた場合を示したが、第２の透光層における出光面に第２遮光部を設けるようにしてもよい。
【００９３】
（２７）上記した実施形態７では、第２の透光層が光拡散機能を有する場合を示したが、それ以外にも、第２の透光層が、光を集光する集光機能、光を偏光反射する偏光反射機能（輝度向上機能）などを備えても構わない。
【００９４】
（２８）上記した各実施形態以外にも、ＬＥＤの具体的な並び数や配置は適宜に変更可能である。例えば、ＬＥＤがＬＥＤ基板の板面内においてＸ軸方向及びＹ軸方向に沿って複数ずつ並んでいても構わない。その場合、ＬＥＤは、マトリクス状に配列されていても、千鳥状に配列されていても構わない。
【００９５】
（２９）上記した各実施形態以外にも、光学シートの具体的な積層順、種類、積層枚数などは適宜に変更可能である。例えば、光学シートに、上記した実施形態５に記載したような蛍光体を含有した波長変換シートを含ませることも可能である。その場合は、光源に関しては、実施形態５と同様に、青色光を単色発光するＬＥＤを用いるのが好ましい。
【００９６】
（３０）上記した各実施形態では、反射シートを備えるバックライト装置を示したが、反射シートを省略することも可能である。その場合でも、ＬＥＤ基板の板面上に形成された光反射膜によって光を反射することで、十分な光の利用効率を得ることが可能である。
【００９７】
（３１）上記した各実施形態では、光源としてＬＥＤを用いた場合を示したが、それ以外にも例えば有機ＥＬ素子、レーザダイオードなどを光源として用いることも可能である。
【００９８】
（３２）上記した各実施形態では、表示パネルとして液晶パネルを例示したが、他の種類の表示パネル（ＭＥＭＳ（Micro Electro Mechanical Systems）表示パネルなど）であっても構わない。
【符号の説明】
【００９９】
１０…液晶表示装置（表示装置）、１１…液晶パネル（表示パネル）、１２，１２−１，２１２…バックライト装置（照明装置）、１３，２１３，３１３，４１３，５１３…ＬＥＤ（光源）、１７，１７−５，１７−６，１７−７，１１７，２１７，３１７，４１７，５１７，６１７，７１７，８１７…光制御シート（光制御部材）、１７Ａ，８１７Ａ…ＬＥＤ配置領域（光源配置領域）、１７Ｂ，８１７Ｂ…ＬＥＤ非配置領域（光源非配置領域）、１８，２１８，３１８，４１８，５１８，６１８…透光層、１９，１９−１，１９−２，１９−３，１９−４，１９−５，１９−７，１１９，２１９，３１９，４１９，５１９，６１９，７１９，８１９…第１遮光部、２０，２０−１，２０−２，２０−３，２０−４，２０−５，２０−７，１２０，３２０，４２０，５２０，６２０，７２０，８２０…第２遮光部、２１…支持部材、２２…保護層、２３，４２３，５２３，６２３…第２の透光層、ｄ…板厚、ｐ…長さ、θｃ…臨界角
【図１】
2020087541.tif 000003
【図２Ａ】
2020087541.tif 000004
【図２Ｂ】
2020087541.tif 000005
【図３】
2020087541.tif 000006
【図４】
2020087541.tif 000007
【図５】
2020087541.tif 000008
【図６】
2020087541.tif 000009
【図７】
2020087541.tif 000010
【図８】
2020087541.tif 000011
【図９】
2020087541.tif 000012
【図１０】
2020087541.tif 000013
【図１１】
2020087541.tif 000014
【図１２Ａ】
2020087541.tif 000015
【図１２Ｂ】
2020087541.tif 000016
【図１３Ａ】
2020087541.tif 000017
【図１３Ｂ】
2020087541.tif 000018
【図１４Ａ】
2020087541.tif 000019
【図１４Ｂ】
2020087541.tif 000020
【図１５Ａ】
2020087541.tif 000021
【図１５Ｂ】
2020087541.tif 000022
【図１６Ａ】
2020087541.tif 000023
【図１６Ｂ】
2020087541.tif 000024
【図１７】
2020087541.tif 000025
【図１８】
2020087541.tif 000026